(57)【要約】【課題】効率的に薪を運搬することができる薪用の運搬具を提供する。【解決手段】運搬具Ｃは、載置フレーム１と、左右一対の支柱２と、左右一対の把持フレーム３と、差込部４と、を備える。載置フレーム１は、左右方向に延びるとともに薪が載置される前後一対の左右フレーム１０を有する。左右一対の支柱２は、載置フレーム１に連結され上下方向に延びる前後一対の支柱本体２１をそれぞれ有する。左右一対の把持フレーム３は、前後一対の支柱本体２１の上端から上端にそれぞれ架け渡されている。差込部４は、支柱２に固定されており、別の運搬具Ｃの把持フレーム３を下方から差し込まれることにより、運搬具Ｃ同士を上下に連結させる。【選択図】図１
0003232244.tif 000002
【実用新案登録請求の範囲】
【請求項１】
薪用の運搬具であって、
左右方向に延びる前後一対の左右フレームを有し、前記薪が載置される載置フレームと、
前記載置フレームに連結され、上下方向に延びる前後一対の支柱本体をそれぞれ有する左右一対の支柱と、
前記前後一対の支柱本体の上端から上端にそれぞれ架け渡された左右一対の把持フレームと、
前記載置フレームまたは前記左右一対の支柱にそれぞれ固定され、別の前記運搬具の前記把持フレームを下方から差し込まれることにより、前記運搬具同士を上下に連結させる左右一対の差込部と、を備える
ことを特徴とする運搬具。
【請求項２】
前記左右一対の支柱は、前記載置フレームに倒立可能にそれぞれ連結されている
ことを特徴とする請求項１に記載の運搬具。
【請求項３】
前記載置フレームは、
前記左右フレームの端部から上方に延びる４つの上下フレームと、
前後の前記上下フレームの上端から上端にそれぞれ架け渡された左右一対の前後フレームと、をさらに有し、
前記左右一対の支柱は、前記前後一対の支柱本体の下端から前記載置フレームの左右方向中央に向かって延びる前後一対の底部フレームをそれぞれさらに有するとともに、前記前後一対の底部フレームを介して、軸部材によって前記左右フレームに倒立自在にそれぞれ連結されており、
前記前後一対の支柱本体は、前記前後フレームの左右方向内側にそれぞれ配置されており、前記前後フレームによって左右方向の揺動をそれぞれ規制されている
ことを特徴とする請求項１または２に記載の運搬具。
【請求項４】
前記前後一対の支柱本体にそれぞれ設けられ、前記前後一対の支柱本体が直立したとき、前記前後フレームにそれぞれ係止される左右一対の係止部をさらに備える
ことを特徴とする請求項３に記載の運搬具。
【請求項５】
前記左右一対の差込部は、前記前後一対の支柱本体が直立したとき、前記前後フレームに係止される係止部をそれぞれ有する
ことを特徴とする請求項３に記載の運搬具。
【請求項６】
前記左右一対の差込部は、さらに、前後に分離して構成されており、前記前後一対の支柱本体の下部にそれぞれ設けられている
ことを特徴とする請求項１〜５のいずれか１項に記載の運搬具。
【請求項７】
前記左右一対の差込部は、正面視フレア状にそれぞれ形成されている
ことを特徴とする請求項１〜６のいずれか１項に記載の運搬具。
【考案の詳細な説明】
【技術分野】
【０００１】
本考案は、薪を運搬する運搬具に関する。
【背景技術】
【０００２】
薪は、薪ストーブやロケットストーブといった暖房装置でカーボンニュートラル燃料として利用される。この種の薪は、乾燥させるために風通しのよい場所で保管する必要がある。そのため、薪は、通常、薪小屋や、屋外に設けられた薪用の薪棚で保存される。この薪棚としては、例えば、特許文献１に開示の薪棚がある。
【０００３】
薪は、薪屋で買うことができるが、薪屋は、薪を薪屋の倉庫内からトラックで運搬し、ユーザの住宅に到着すると、トラックからユーザの薪棚に運ぶ。このとき、薪は、薪運搬用のザルやかごなどで運搬される。ユーザは、薪をかごで運搬するときには、薪を薪棚から取り出して床に置いてあるかごに入れ、そのかごを持ち上げて、暖房装置に隣接された薪用のラックまで運搬する。そして、ユーザは、かごを床に降ろし、薪をかごから薪用のラックに移動する。ユーザは、暖房装置に薪をくべ、ラックの薪がなくなると、薪棚から薪をラックに補充する。
【０００４】
ところで、薪を入れたかごを運搬することは重労働であるし、薪棚からかごに移動したり、かごから薪用のラックに移動することも重労働である。したがって、これら薪を運搬する工程を効率化することが望ましい。
【先行技術文献】
【特許文献】
【０００５】
【特許文献１】実用新案登録第３１６３６０７号公報
【考案の概要】
【考案が解決しようとする課題】
【０００６】
そこで、本考案が解決しようとする課題は、効率的に薪を運搬することができる薪用の運搬具を提供することにある。
【課題を解決するための手段】
【０００７】
上記課題を解決するために、本考案に係る薪用の運搬具は、
左右方向に延びる前後一対の左右フレームを有し、薪が載置される載置フレームと、
載置フレームに連結され、上下方向に延びる前後一対の支柱本体をそれぞれ有する左右一対の支柱と、
前後一対の支柱本体の上端から上端にそれぞれ架け渡された左右一対の把持フレームと、
載置フレームまたは左右一対の支柱にそれぞれ固定され、別の運搬具の把持フレームを下方から差し込まれることにより、運搬具同士を上下に連結させる左右一対の差込部と、を備える、ことを特徴とする。
【０００８】
上記運搬具は、好ましくは、
左右一対の支柱が、載置フレームに倒立可能にそれぞれ連結されている。
【０００９】
上記運搬具は、好ましくは、
載置フレームが、
左右フレームの端部から上方に延びる４つの上下フレームと、
前後の上下フレームの上端から上端にそれぞれ架け渡された左右一対の前後フレームと、をさらに有し、
左右一対の支柱が、前後一対の支柱本体の下端から載置フレームの左右方向中央に向かって延びる前後一対の底部フレームをそれぞれさらに有するとともに、前後一対の底部フレームを介して、軸部材によって左右フレームに倒立自在にそれぞれ連結されており、
前後一対の支柱本体が、前後フレームの左右方向内側にそれぞれ配置されており、前後フレームによって左右方向の揺動をそれぞれ規制されている。
【００１０】
上記運搬具は、例えば、
前後一対の支柱本体にそれぞれ設けられ、前後一対の支柱本体が直立したとき、前後フレームにそれぞれ係止される左右一対の係止部をさらに備える。
【００１１】
上記運搬具は、好ましくは、
左右一対の差込部が、前後一対の支柱本体が直立したとき、前後フレームに係止される係止部をそれぞれ有する。
【００１２】
上記運搬具は、好ましくは、
左右一対の差込部が、さらに、前後に分離してそれぞれ構成されており、前後一対の支柱本体の下部にそれぞれ設けられている。
【００１３】
上記運搬具は、好ましくは、
左右一対の差込部が、正面視フレア状にそれぞれ形成されている。
【考案の効果】
【００１４】
本考案に係る薪用の運搬具は、別の運搬具とともに上下に連結して積み重ねることにより、薪用の多段のラック、薪棚を形成することができる。したがって、薪屋およびユーザは、薪が収納された運搬具を運搬し、そのまま運搬具を薪棚、薪用のラックにすることができるので、薪を運搬するたびに薪を運搬具から薪棚に移動したり、薪棚から運搬具に移動したり、運搬具から薪用のラックに移動したりする作業を省略することができる。そのため、本考案に係る運搬具は、効率的に薪を運搬することができる。
【図面の簡単な説明】
【００１５】
【図１】本考案の一実施例に係る運搬具を示す斜視図である。
【図２】図１に示された運搬具の正面図である。
【図３】図１に示された差込部を示す透視図である。
【図４】図１に示された運搬具が薪を載置されるとともに積み重ねられたところを示す図である。
【図５】図１に示された運搬具が折りたたまれたところを示す正面図である。
【図６】薪屋およびユーザによる運搬具の運用のサイクルを示す図である。
【考案を実施するための形態】
【００１６】
以下、添付図を参照しながら、本考案に係る薪用の運搬具の一実施例について説明する。図中におけるＸ軸は左右方向を示し、Ｙ軸は前後方向を示し、Ｚ軸は上下方向を示している。また、各軸は、互いに直交している。
【００１７】
図１および図２に示すように、本実施例に係る運搬具Ｃは、載置フレーム１と、左右一対の支柱２と、左右一対の把持フレーム３と、左右一対の差込部４と、を備えている。
【００１８】
載置フレーム１は、鉄棒、金属製のシャフト、パイプから構成されており、前後一対の左右フレーム１０と、４つの上下フレーム１１と、左右一対の前後フレーム１２とを有する。左右フレーム１０、上下フレーム１１および前後フレーム１２は、一体的に形成されているが単なる一例であって、別個独立に形成されるとともに互いに連結されていてもよい。
【００１９】
前後一対の左右フレーム１０は、間隔をおいて互いに平行に配置されており、左右方向にそれぞれ延びている。４つの上下フレーム１１は、左右フレーム１０の各端部から上方にそれぞれ延びている。左右一対の前後フレーム１２は、前後の上下フレーム１１の上端から上端にそれぞれ架け渡されている。左右フレーム１０の上面に、薪が載置される。
【００２０】
左右一対の支柱２は、金属製のパイプから構成されており、前後一対の底部フレーム２０と、前後一対の支柱本体２１と、補強フレーム２２と、をそれぞれ有する。底部フレーム２０、支柱本体２１および補強フレーム２２は、一体的に形成されているが単なる一例であって、別個独立に形成されるとともに互いに連結されていてもよい。
【００２１】
前後一対の底部フレーム２０は、左右フレーム１０の内側に隣接し左右フレーム１０に沿って左右方向にそれぞれ延びている。前後一対の底部フレーム２０は、軸部材Ｂを介して倒立自在に左右フレーム１０に連結されている。底部フレーム２０の上面は、左右フレーム１０の上面と同じ高さになるよう構成されている。
【００２２】
前後一対の支柱本体２１は、底部フレーム２０と一体的に形成されており、前後フレーム１２の内側に隣接し前後一対の底部フレーム２０の外側端から上方にそれぞれ延びている。本実施例では、前後一対の支柱本体２１は、前後方向内側に向かってそれぞれ傾斜しており、前後一対の支柱本体２１全体で側面視ハの字状に形成されている。
【００２３】
補強フレーム２２は、底部フレーム２０と一体的に形成されており、前後一対の底部フレーム２０の内側端から内側端に延びている。
【００２４】
左右一対の把持フレーム３は、金属製のパイプから構成されており、前後一対の支柱本体２１と一体的にそれぞれ形成されている。把持フレーム３は、前後一対の支柱本体２１の上端から上端に架け渡されている。把持フレーム３は、運搬具Ｃが運搬されるとき、ユーザによって把持される。把持フレーム３および支柱本体２１は一体的に形成されているが単なる一例であって、別個独立に形成されるとともに互いに連結されていてもよい。
【００２５】
図１および図３に示すように、左右一対の差込部４は、前後に分離して、前後一対の支柱本体２１の下部にそれぞれ溶接されている。差込部４は、左右方向内側に設けられた平板部材４ａと、左右方向外側に設けられた平板部材４ｂとからそれぞれ構成されており、支柱本体２１の下部にそれぞれ溶接されている。図１〜図３に示すように、差込部４は、平板部材４ａ、４ｂによって正面視フレア状に形成されている。差込部４は、後で説明するように別の運搬具Ｃの把持フレーム３を差し込まれる。
【００２６】
平板部材４ａの上部４ｃは、正面視フック状に形成されており、支柱本体２１が直立しているとき、前後フレーム１２に係止され、支柱本体２１の直立状態を安定させる。このフック状の部分４ｃが、本考案の「係止部」４ｃに相当する。
【００２７】
ユーザは、左右フレーム１０の上面に薪Ｗを載置するとともに把持フレーム３を把持して運搬具Ｃを持ち上げ、薪Ｗを運搬する。本実施例の運搬具Ｃでは、左右フレーム１０が支柱本体２１の左右方向の開きを規制し、かつ、係止部４ｃが支柱本体２１の内側への揺動を規制しているので、支柱２の直立状態が安定している。しかも、底部フレーム２０の上面は、左右フレーム１０の上面と同じ高さになるよう構成されていることにより底部フレーム２０にも薪Ｗが載置されるので、薪Ｗの重量によっても支柱２の揺動が規制される。これにより、ユーザは、適切に薪Ｗを運搬することができる。また、本実施例における運搬具Ｃは、女性でも持ち運べるよう小型に構成されているとともにパイプ状の素材によって軽量に構成されている。
【００２８】
図４に示すように、左右一対の支柱２は、軸部材Ｂを支点に揺動することにより、内側に折りたたむことができる。本実施例では、支柱２は、前後一対の支柱本体２１が側面視ハの字状に構成されているので、一方の支柱本体２１の上部を、他方の支柱本体２１の下部の内側に収納することができる。これにより、運搬具Ｃは、使用されないときには、コンパクトに収納することができる。
【００２９】
図５に示すように、複数の運搬具Ｃは、下側の運搬具Ｃの把持フレーム３を、上側の運搬具Ｃの差込部４に差し込むことにより、積み重ねることができる。したがって、運搬具Ｃは、薪Ｗを運搬する運搬具Ｃであるとともに、薪Ｗを収納する薪棚および薪Ｗ用のラックとして機能することができる。
【００３０】
これにより、図６に示すように、薪屋Ｓは、本実施例に係る運搬具Ｃに薪Ｗを収納するとともに、当該薪Ｗを収納された複数の運搬具Ｃをトラックに積み込んで薪屋の倉庫からユーザＵの住宅まで運搬することができる。そして、薪屋Ｓは、トラックから薪Ｗが収納された運搬具ＣをユーザＵの家庭の所定の場所まで運んで、薪棚Ｔを形成することができる。これにより、薪屋Ｓは、トラックで運んできた薪Ｗをかごに載せる作業を省くことができる。しかも、薪屋Ｓは、薪ＷをかごからユーザＵの薪棚Ｔへ載せ替える作業も省くことができる。
【００３１】
ユーザＵは、図６に示すように、薪Ｗを暖房装置Ｄ近くまで運搬するときには、薪Ｗが収納された運搬具Ｃを持ち上げて暖房装置Ｄ近くまで運搬する。これにより、ユーザＵは、薪Ｗを薪棚Ｔからかごに載せる作業を省くことができる。しかも、ユーザＵは、薪Ｗをかごから薪用のラックＲに載せ替える作業も省くことができる。さらには、薪Ｗが空になった運搬具Ｃは、支柱２を折りたたまれることにより、コンパクトに収納することができる。また、運搬具Ｃのさらなる効果として、運搬具Ｃは、薪Ｗを運搬する運搬具Ｃ、薪棚Ｔ、薪用のラックＲを兼ねているので、それぞれ別個に購入する必要がなく、コスト的にも貢献しうる。その上、本実施例の運搬具Ｃによれば、薪Ｗが収納された運搬具Ｃの位置の変更を容易に行うことができるので、新しい薪Ｗが収納された運搬具Ｃを下にして古い薪Ｗが収納された運搬具Ｃを上にするなどの薪Ｗの整理も容易に行うことができる。さらに、運搬具Ｃによれば、ユーザが薪屋Ｓとの契約により空になった運搬具Ｃを薪屋Ｓに渡し、次の薪Ｗ購入時に薪Ｗが収納された状態で運搬具Ｃを返却してもらうといった一貫したサイクルを可能にする。薪屋Ｓにとっても得意先（ユーザＵ）をつなぎとめるメリットがある。
【００３２】
以上、本考案の運搬具の一実施例について説明してきたが、本考案における運搬具は、上記実施例に限定されるものではない。例えば、本考案の運搬具は、以下の変形例によって実施されてもよい。
【００３３】
・運搬具Ｃの素材は、鉄、ステンレス、アルミ、ジュラルミン等の金属に限定されない。例えば、運搬具Ｃは、炭素ファイバー、木製でもよい。また、運搬具Ｃの各フレームの断面形状は、円形に限定されない。例えば、運搬具Ｃの各フレームの断面形状は、非円形でもよい。
【００３４】
・係止部４ｃは、差込部４と別個独立して支柱本体２１に設けられていてもよい。
【００３５】
・補強フレーム２２は、必須の構成ではない。例えば、補強フレーム２２の代わりに左右フレーム１０に係止される係止部が下部フレームに設けられていてもよい。
【００３６】
・左右一対の差込部４は、例えば、前後に分離せずに前後の差込部４がそれぞれ一体的に形成され、前後方向に延びていてもよい。
【符号の説明】
【００３７】
Ｃ  運搬具
Ｗ  薪
Ｂ  軸部材
Ｓ  薪屋
Ｔ  薪棚
Ｒ  薪用のラック
Ｕ  ユーザ
Ｄ  暖房装置
１  載置フレーム
１０  左右フレーム
１１  上下フレーム
１２  前後フレーム
２  支柱
２０  底部フレーム
２１  支柱本体
２２  補強フレーム
３  把持フレーム
４  差込部
４ａ、４ｂ  平板部材
４ｃ  係止部
【図１】
0003232244.tif 000003
【図２】
0003232244.tif 000004
【図３】
0003232244.tif 000005
【図４】
0003232244.tif 000006
【図５】
0003232244.tif 000007
【図６】
0003232244.tif 000008